(57)【要約】【課題】成果物の種類や成果物を見るときの環境が異なっても、表示装置で表示される成果物の画像の色味を、実際の成果物の色味に合わせることができる色調整装置等を提供できる。【解決手段】表示装置で画像として表示する成果物（対象物）を実際に使用される状態で見るときの環境の情報を取得する前提情報取得部１５０と、環境の情報と成果物（対象物）の種類の情報とを基に表示装置の色温度および輝度を決定する決定部１６０と、を備える色調整装置。【選択図】図３
2019009503.tif 000002
【特許請求の範囲】
【請求項１】
表示装置で画像として表示する対象物を実際に使用される状態で見るときの環境の情報を取得する環境情報取得部と、
前記環境の情報と前記対象物の種類の情報とを基に前記表示装置の色温度および輝度を決定する決定部と、
を備える色調整装置。
【請求項２】
前記環境の情報は、前記対象物に関する業種の情報を含むことを特徴とする請求項１に記載の色調整装置。
【請求項３】
前記環境の情報は、前記対象物を実際に使用される状態で見るときの照明環境の情報をさらに含むことを特徴とする請求項２に記載の色調整装置。
【請求項４】
前記決定部は、前記業種の情報および前記対象物の種類の情報から色温度を決定し、別の表示装置の機種の情報から輝度を決定することを特徴とする請求項２に記載の色調整装置。
【請求項５】
前記表示装置に対する入力色信号と表示される色との関係を表すデバイス特性情報を取得する特性情報取得部と、
デバイス特性情報と決定した色温度および輝度とを基に、色調整を行なう変換関係を作成する変換関係作成部と、
をさらに備えることを特徴とする請求項１に記載の色調整装置。
【請求項６】
前記決定部は、前記表示装置で表示する画像の表現傾向をさらに決定し、
前記変換関係作成部は、デバイス特性情報、色温度および輝度に表現傾向を加えて、前記変換関係を作成することを特徴とする請求項５に記載の色調整装置。
【請求項７】
表示装置で画像として表示する対象物を実際に使用される状態で見るときの環境の情報を取得する環境情報取得工程と、
前記環境の情報と前記対象物の種類の情報とを基に前記表示装置の色温度および輝度を決定する決定工程と、
を備える色処理方法。
【請求項８】
対象物の画像を表示する表示装置と、
前記表示装置で表示される画像に対し色調整を行なう色調整装置と、
を備え、
前記色調整装置は、
前記対象物を実際に使用される状態で見るときの環境の情報を取得する環境情報取得部と、
前記環境の情報と前記対象物の種類の情報とを基に前記表示装置の色温度および輝度を決定する決定部と、
を備える色処理システム。
【請求項９】
コンピュータに、
表示装置で画像として表示する対象物を実際に使用される状態で見るときの環境の情報を取得する環境情報取得機能と、
前記環境の情報と前記対象物の種類の情報とを基に前記表示装置の色温度および輝度を決定する決定機能と、
を実現させるためのプログラム。
【発明の詳細な説明】
【技術分野】
【０００１】
本発明は、色調整装置、色処理方法、色処理システム、プログラムに関する。
【背景技術】
【０００２】
近年は、ＰＣ（Personal Computer）等のコンピュータ装置を使用し、ＣＧ（Computer Graphics）等により製品のデザインを行う場合が多くなってきている。この場合、デザイナーは、ＰＣ等に接続された液晶ディスプレイ等の表示装置に製品の画像を出力してデザインを行うことになる。
【０００３】
特許文献１には、撮影時条件に応じた撮影データと、撮影された画像データを取得するための画像データ取得手段と、撮影データおよび画像データより補正値を決定するための補正値決定手段と、補正値決定手段より得られた補正値を用いて画像補正を行うための画像補正手段と、画像補正手段により補正された画像データをプリント部でプリントさせるためのプリント制御手段を有することを特徴とするプリント装置が記載されている。
また特許文献２には、複数の色再現目標候補の中から、出力デバイスであるプリンタの色再現領域と色差が閾値以下となる候補を選択し、それを基にそのプリンタのカラープロファイルを作成するプロファイル作成装置が記載されている。その際、先ず、ＷおよびＢｋそれぞれについて色差が所定の閾値以下の色再現目標候補を選択とする。
【先行技術文献】
【特許文献】
【０００４】
【特許文献１】特開２００６−２３１８６３号公報
【特許文献２】特開２０１４−１４０５６号公報
【発明の概要】
【発明が解決しようとする課題】
【０００５】
成果物（対象物）の色をデザイナーがデザインするとき、成果物が実際にどのように見えるのかを考慮したカラーマッチングを行ない、表示装置で表示される成果物の画像の色味と実際の成果物の色味とを合わせる必要がある。
しかしながら成果物を見るときの環境は様々であり、従来はどのようにしてカラーマッチングを行なえばよいのかが難しく、種々の環境を想定したカラーマッチングは困難であった。
本発明は、成果物の種類や成果物を見るときの環境が異なっても、表示装置で表示される成果物の画像の色味を、実際の成果物の色味に合わせることができる色調整装置等を提供することを目的とする。
【課題を解決するための手段】
【０００６】
請求項１に記載の発明は、表示装置で画像として表示する対象物を実際に使用される状態で見るときの環境の情報を取得する環境情報取得部と、前記環境の情報と前記対象物の種類の情報とを基に前記表示装置の色温度および輝度を決定する決定部と、を備える色調整装置である。
請求項２に記載の発明は、前記環境の情報は、前記対象物に関する業種の情報を含むことを特徴とする請求項１に記載の色調整装置である。
請求項３に記載の発明は、前記環境の情報は、前記対象物を実際に使用される状態で見るときの照明環境の情報をさらに含むことを特徴とする請求項２に記載の色調整装置である。
請求項４に記載の発明は、前記決定部は、前記業種の情報および前記対象物の種類の情報から色温度を決定し、別の表示装置の機種の情報から輝度を決定することを特徴とする請求項２に記載の色調整装置である。
請求項５に記載の発明は、前記表示装置に対する入力色信号と表示される色との関係を表すデバイス特性情報を取得する特性情報取得部と、デバイス特性情報と決定した色温度および輝度とを基に、色調整を行なう変換関係を作成する変換関係作成部と、をさらに備えることを特徴とする請求項１に記載の色調整装置である。
請求項６に記載の発明は、前記決定部は、前記表示装置で表示する画像の表現傾向をさらに決定し、前記変換関係作成部は、デバイス特性情報、色温度および輝度に表現傾向を加えて、前記変換関係を作成することを特徴とする請求項５に記載の色調整装置である。
請求項７に記載の発明は、表示装置で画像として表示する対象物を実際に使用される状態で見るときの環境の情報を取得する環境情報取得工程と、前記環境の情報と前記対象物の種類の情報とを基に前記表示装置の色温度および輝度を決定する決定工程と、を備える色処理方法である。
請求項８に記載の発明は、対象物の画像を表示する表示装置と、前記表示装置で表示される画像に対し色調整を行なう色調整装置と、を備え、前記色調整装置は、前記対象物を実際に使用される状態で見るときの環境の情報を取得する環境情報取得部と、前記環境の情報と前記対象物の種類の情報とを基に前記表示装置の色温度および輝度を決定する決定部と、を備える色処理システムである。
請求項９に記載の発明は、コンピュータに、表示装置で画像として表示する対象物を実際に使用される状態で見るときの環境の情報を取得する環境情報取得機能と、前記環境の情報と前記対象物の種類の情報とを基に前記表示装置の色温度および輝度を決定する決定機能と、を実現させるためのプログラムである。
【発明の効果】
【０００７】
請求項１の発明によれば、対象物の種類や対象物を見るときの環境が異なっても、表示装置で表示される対象物の画像の色味を、実際の対象物の色味に合わせることができる色調整装置を提供することができる。
請求項２の発明によれば、表示装置で表示される画像の色味を合わせるためのパラメータとしてより好ましいものを取得することができる。
請求項３の発明によれば、表示装置で表示される画像の色味がより合いやすくなる。
請求項４の発明によれば、表示装置で表示される対象物の画像の色味を、別の表示装置で表示される対象物の色味に合わせるときの色温度および輝度をより簡単に決定することができる。
請求項５の発明によれば、入力色信号の補正を行ない、表示装置で表示される対象物の画像の色味を、実際の対象物の色味に合わせることができる変換関係を作成できる。
請求項６の発明によれば、画像の表現傾向を含めて変換関係を作成できる。
請求項７の発明によれば、対象物の種類や対象物を見るときの環境が異なっても、表示装置で表示される対象物の画像の色味を、実際の対象物の色味に合わせることができる色処理方法を提供することができる。
請求項８の発明によれば、対象物の種類や対象物を見るときの環境が異なっても、表示装置で表示される対象物の画像の色味を、実際の対象物の色味に合わせることができる色処理システムを提供することができる。
請求項９の発明によれば、対象物の種類や対象物を見るときの環境が異なっても、表示装置で表示される対象物の画像の色味を、実際の対象物の色味に合わせることができる機能をコンピュータにより実現できる。
【図面の簡単な説明】
【０００８】
【図１】本実施の形態が適用される色処理システムの構成の一例を示した図である。
【図２】コンピュータ装置のハードウェア構成を示した図である。
【図３】本実施の形態のコンピュータ装置の機能構成例を示したブロック図である。
【図４】（ａ）〜（ｂ）は、前提情報をユーザが入力するときに表示装置の表示画面に表示される画面を示した図である。
【図５】（ａ）〜（ｂ）は、前提情報を基に色温度および輝度を決定する方法を説明した図である。
【図６】（ａ）は、表示装置で表示する画像のインテントを決定する方法を説明した図である。（ｂ）は、プリンタで表示する画像のインテントを決定する方法を説明した図である。
【図７】図５〜図６で示す関係をファイルとして保存するときのデータ構造を示した図である。
【図８】補正ＲＧＢＬＵＴを示した図である。
【図９】変換関係を作成する際に、表示装置の表示画面に表示される画面を示した図である。
【図１０】本実施の形態のコンピュータ装置の動作について説明したフローチャートである。
【発明を実施するための形態】
【０００９】
以下、添付図面を参照して、本発明の実施の形態について詳細に説明する。
【００１０】
＜色処理システム全体の説明＞
図１は、本実施の形態が適用される色処理システム１の構成の一例を示した図である。
この色処理システム１は、画像データ（画像情報、入力色信号）の作成等を行うコンピュータ装置１０と、この画像データを基に画像を表示する表示装置２０とを備える。
【００１１】
この色処理システム１において、コンピュータ装置１０および表示装置２０は、例えば、ＤＶＩ（Digital Visual Interface）を介して接続されている。なお、ＤＶＩに代えて、ＨＤＭＩ（High-Definition Multimedia Interface：登録商標）やDisplayPortを介して接続するようにしてもかまわない。
【００１２】
コンピュータ装置１０は、所謂汎用のパーソナルコンピュータ（ＰＣ）である。そして、コンピュータ装置１０は、ＯＳ（Operating System）の管理下において、各種アプリケーションソフトウェアを動作させることで、画像データの作成等を行うようになっている。
なおコンピュータ装置１０は、入力装置として、例えば、図示しないキーボード装置やマウス装置等を備えることができる。
【００１３】
図２は、コンピュータ装置１０のハードウェア構成を示した図である。
コンピュータ装置１０は、上述したようにパーソナルコンピュータ等により実現される。そして図示するように、コンピュータ装置１０は、演算手段であるＣＰＵ（Central Processing Unit）１１と、記憶手段であるメインメモリ１２およびＨＤＤ（Hard Disk Drive）１３とを備える。ここで、ＣＰＵ１１は、ＯＳ（Operating System）やアプリケーションソフトウェア等の各種プログラムを実行する。また、メインメモリ１２は、各種プログラムやその実行に用いるデータ等を記憶する記憶領域であり、ＨＤＤ１３は、各種プログラムに対する入力データや各種プログラムからの出力データ等を記憶する記憶領域である。さらに、コンピュータ装置１０は、表示装置２０を含む外部との通信を行うための通信インタフェース（以下、「通信Ｉ／Ｆ」と表記する）１４を備えている。
【００１４】
表示装置２０は、画像データを基に画像を表示する。表示装置２０は、例えばＰＣ用の液晶ディスプレイ、液晶テレビあるいはプロジェクタなど、加法混色にて画像を表示する機能を備えたもので構成される。したがって、表示装置２０における表示方式は、液晶方式に限定されるものではない。ここで、本実施の形態では、表示装置２０が、赤（Ｒ）、緑（Ｇ）および青（Ｂ）の３色を用いて画像の表示を行っているものとする。なお、図１は、表示装置２０としてＰＣ用の液晶ディスプレイを用いた場合を例示していることから、表示装置２０内に表示画面２１が設けられているが、表示装置２０として例えばプロジェクタを用いる場合、表示画面２１は、表示装置２０の外部に設けられたスクリーン等となる。
【００１５】
ここで、図１には、表示装置２０の表示画面２１に表示された画像の読み取りに使用される測色器５０を、色処理システム１と併せて示している。
【００１６】
測色器５０は、赤（Ｒ）、緑（Ｇ）および青（Ｂ）の３色にて画像を読み取るセンサ（図示せず）を備えており、表示画面２１に表示された画像に形成された画像を、所謂フルカラーにて測定することが可能となっている。また、図１に示す例において、測色器５０およびコンピュータ装置１０は、例えば、ＵＳＢを介して接続され、測定後の色データをコンピュータ装置１０に送ることができるようになっている。測色器５０は、特に限られるものではなく、例えば、接触式のものやカメラ型のものを使用することができる。
【００１７】
この色処理システム１は、例えば、以下のように動作する。
色処理システム１では、コンピュータ装置１０において、測色用画像についての画像データ（測色用画像データ）を作成する。そしてこれを表示装置２０に送り、測色用画像データに基づく測色用画像を表示装置２０の表示画面２１に表示させる。
そして表示画面２１に表示した測色用画像を測色器５０により読み取り、色データを取得する。そしてコンピュータ装置１０は、この色データを基に表示装置２０に出力する画像データの補正を行なう変換関係を作成する。詳しくは後述するが、この変換関係は、表示装置２の表示画面２１で表示される画像に対し色調整を行ない、表示画面２１に表示される成果物（対象物）の画像の色味を、実際の成果物の色味に合わせ、色味の再現を行なうためのものである。この場合、表示装置２０は、対象物の画像を表示する表示装置の一例として機能する。
【００１８】
ここで成果物（対象物）は、表示装置２０で色味の再現を行なう対象となるものであり、画面で表示されるものと実物とに大別される。画面で表示されるものは、ディスプレイ等の表示装置に表示する際に使用される画像データが成果物である。具体的には、例えば、ＣＧデータ、Ｗｅｂデザイン、サイネージ（映像装置を利用した広告や案内表示）などである。なおこの表示装置は、表示装置２０とは異なるものであり、以下、これを「別の表示装置」と言うことがある。つまりこの場合、ＣＧデータ、Ｗｅｂデザイン、サイネージなどの画像データ（成果物）を別の表示装置で表示する際の画像の色味を再現するために、このとき表示される画像の色味に合わせて表示装置２０で表示される画像の色味を調整する。よってコンピュータ装置１０は、表示装置２０で表示される画像に対し色調整を行なう色調整装置として機能する。
【００１９】
またプリンタ等で用紙等の記録媒体に画像を出力し印刷した場合は、この印刷物（実物）が成果物である。さらに３Ｄプリンタで物を造形した場合は、この造形物（実物）が成果物である。そして表示装置２０の表示画面２１に表示する画像が自動車の画像であった場合は、自動車（実物）が成果物である。
【００２０】
以下、これを実現するコンピュータ装置１０について、説明を行なう。
【００２１】
＜コンピュータ装置１０の説明＞
図３は、本実施の形態のコンピュータ装置１０の機能構成例を示したブロック図である。
図示するコンピュータ装置１０は、測色用画像選択部１１０と、画像データ送信部１２０と、色データ取得部１３０と、特性情報取得部１４０と、前提情報取得部１５０と、決定部１６０と、変換関係作成部１７０と、色補正部１８０とを備える。
【００２２】
測色用画像選択部１１０は、上述した測色用画像を選択する。測色用画像は、例えば、色相、彩度などの色特性がそれぞれ異なる矩形状の画像である。
【００２３】
画像データ送信部１２０は、表示装置２０の色調整を行うために、測色用画像選択部１１０が選択した測色用画像の画像データである測色用画像データを表示装置２０に向けて出力する。この測色用画像データは、ＲＧＢ色空間におけるＲ、Ｇ、Ｂの色信号であるＲＧＢデータとして出力される。本実施の形態では、ＲＧＢデータは、Ｒ、Ｇ、Ｂの各色値毎に８ｂｉｔ（０〜２５５の２５６階調）で表される。
【００２４】
表示装置２０では、画像データ送信部１２０により送信された測色用画像データを基に表示画面２１に測色用画像が順次表示される。表示画面２１に表示された測色用画像は、測色器５０により色が読み取られる。
【００２５】
そして測色器５０は、測色用画像を読み取ることで取得した色情報（色データ）をコンピュータ装置１０に対し送信する。このとき測色器５０が出力する色データは、例えば、ＸＹＺ色空間におけるＸ、Ｙ、Ｚの各色値である。また色データは、測色用画像を読み取ることで取得した色データを他の色空間の色データ（例えば、Ｌ＊ａ＊ｂ＊色空間のＬ＊ａ＊ｂ＊データ）に変換したものでもよい。
【００２６】
色データ取得部１３０は、測色器５０により送信された色データを取得する。
【００２７】
特性情報取得部１４０は、表示装置２０に対する入力色信号と表示される色との関係を表すデバイス特性情報を取得する。つまりこの場合、入力色信号である測色用画像データと表示される色である色データとの関係がデバイス特性情報となる。よってデバイス特性情報は、ＲＧＢデータとＸＹＺデータとの組（（Ｒ、Ｇ、Ｂ）−（Ｘ、Ｙ、Ｚ））から構成される。
【００２８】
前提情報取得部１５０は、環境情報取得部の一例であり、表示装置２０で画像として表示する成果物（対象物）を実際に使用する状態で見るときの環境の情報を取得する。また前提情報取得部１５０は、環境の情報の他に成果物の種類の情報を取得する。以後、環境の情報および成果物の種類の情報を合わせて前提情報と言うことがある。前提情報については、後述する。
【００２９】
決定部１６０は、成果物の色を表示装置２０で再現する色調整を行なうために、環境の情報と対象物の種類の情報とを基に表示装置２０で表示する画像の色温度および輝度を決定する。環境の情報と対象物の種類の情報とを基に色温度および輝度を決定する方法については後述する。
【００３０】
変換関係作成部１７０は、デバイス特性情報と決定した色温度および輝度とを基に、色調整を行なう変換関係を作成する。また詳しくは後述するが、決定部１６０が、表示装置２０で表示する画像の色温度および輝度に加え、表現傾向（インテント）をさらに決定したときは、変換関係作成部１７０は、デバイス特性情報、色温度および輝度に表現傾向（インテント）を加えて、変換関係を作成する。
【００３１】
色調整を行なう変換関係は、プロファイルとも呼ばれ、例えば、３次元ＬＵＴ（Look up Table）として作成することができる。つまり補正前のＲＧＢデータを、（Ｒａ、Ｇａ、Ｂａ）とし、補正後のＲＧＢデータを、（Ｒｂ、Ｇｂ、Ｂｂ）とすると、（Ｒａ、Ｇａ、Ｂａ）→（Ｒｂ、Ｇｂ、Ｂｂ）とするＬＵＴである。このＬＵＴを作成する方法については、後述する。ただし変換関係は、これに限られるものではない。例えば、変換関係は、Ｒａ→Ｒｂ、Ｇａ→Ｇｂ、Ｂａ→Ｂｂとする１次元ＬＵＴであってもよい。またＲａ→Ｒｂ、Ｇａ→Ｇｂ、Ｂａ→Ｂｂの補正をガンマ変換で行なってもよい。
【００３２】
色補正部１８０は、変換関係作成部１７０が作成した変換関係を使用して、表示装置２０に出力する画像データの補正を行なう。そして補正後の画像データを表示装置２０に送信する。
【００３３】
＜前提情報の説明＞
次に前提情報取得部１５０が取得する前提情報について説明する。
前提情報は、成果物の種類の情報および成果物を見るときの環境の情報を含む。
ここで成果物（対象物）の種類の情報は、成果物が何であるかの情報であり、上述したように表示装置２０で色味の再現を行なう対象となるものである。つまりディスプレイ等の表示装置に表示する際に使用される画像データ（ＣＧデータ、Ｗｅｂデザイン、サイネージなど）、印刷物などが成果物となる。
【００３４】
また環境の情報は、例えば、成果物（対象物）に関する業種の情報を含む。また環境の情報は、例えば、成果物（対象物）を画像として出力する機種の情報を含む。またこの環境の情報は、成果物（対象物）を実際に使用される状態で見るときの照明環境の情報を含んでいてもよい。
業種の情報は、成果物（対象物）が実際に使用される業種の情報であり、例えば、印刷会社、商品デザイナー、広告代理店などの情報である。
機種の情報は、成果物を表示するディスプレイ等の表示装置やプリンタなどの機器の個別情報である。機種の情報には、例えば、機器の種類（ディスプレイ、プロジェクタ、プリンタなど）が含まれる。
【００３５】
また機器の種類がディスプレイ、プロジェクタなどの表示装置（別の表示装置）であったときは、例えば、メーカー名、型番、画面サイズが含まれる。つまりこの場合、機種の情報は、成果物である画像データ（ＣＧデータ、Ｗｅｂデザイン、サイネージなど）を画像として表示する別の表示装置の機種の情報を含む。
【００３６】
さらに機器の種類がプリンタであったときは、機種の情報には、例えば、メーカー名、型番、印刷方式（電子写真方式、インクジェット方式など）、印刷する用紙の種類などが含まれる。
また照明環境の情報は、例えば、屋外、屋内、照明の種類、照明の色温度、照明の輝度、紫外光の有無などの情報である。
【００３７】
この前提情報は、例えば、ユーザがコンピュータ装置１０に入力することで行なう。
図４（ａ）〜（ｂ）は、前提情報をユーザが入力するときに表示装置２０の表示画面２１に表示される画面を示した図である。
このうち図４（ａ）は、業種および成果物の種類を入力する際の画面を示している。これらはプルダウンメニューの中から選択することで入力することができる。
また図４（ｂ）は、機種の情報を入力する際の画面を示している。このうち機器の種類はプルダウンメニューの中から選択することで入力することができる。またメーカー名、型番、画面サイズについても入力を行なうことができる。
【００３８】
＜前提情報を基に色温度および輝度を決定する方法の説明＞
次に決定部１６０が前提情報を基に色温度および輝度を決定する方法について説明する。
図５（ａ）〜（ｂ）は、前提情報を基に色温度および輝度を決定する方法を説明した図である。
本実施の形態では、図５（ａ）に示すように、決定部１６０は、前提情報のうち成果物に関する業種の情報および成果物（対象物）の種類の情報から色温度を決定する。例えば、成果物を使用する業種が印刷会社であり、成果物の種類がＷｅｂデザインだった場合は、表示装置２０で表示する画像の色温度を５５００Ｋとする。
また本実施の形態では、図５（ｂ）に示すように、決定部１６０は、前提情報のうち別の表示装置の機種の情報から輝度を決定する。例えば、機器の種類がディスプレイであり、画面サイズが２５インチ未満だったときは、表示装置２０で表示する画像の輝度を１００とする。
【００３９】
またこのとき決定部１６０は、表示装置２０で表示する画像の表現傾向（インテント）をさらに決定してもよい。
図６（ａ）は、表示装置２０で表示する画像のインテントを決定する方法を説明した図である。
本実施の形態では、業種の情報および成果物の種類の情報を使用してインテントを決定する。ここでは、Ｒｅｌ、Ｐｅｒ、Ｓａｔの３種類が決定結果となる。この内容として、Ｒｅｌが、「Relative Colorimetric（測色的な色一致を重視）」の意味として用意している。またＰｅｒは、「Perceptual（階調的な色一致を重視）」、Ｓａｔは、「Saturation（彩やかさを重視）」の意味として用意している。
【００４０】
また図６（ｂ）は、プリンタで表示する画像のインテントを決定する方法を説明した図である。
本実施の形態では、機種の情報である印刷方式（電子写真方式、インクジェット方式）および成果物の種類の情報を使用してインテントを決定する。ここでも、Ｒｅｌ、Ｐｅｒ、Ｓａｔの３種類が決定結果となる。
【００４１】
図５〜図６で示す関係は、ファイルとして保存しておいてもよく、変換関係作成部１７０が変換関係を作成するまでメモリ上に記憶していてもよい。
【００４２】
図７は、図５〜図６で示す関係をファイルとして保存するときのデータ構造を示した図である。
図示するデータ構造は、Ｈｅａｄｅｒ（ヘッダ）情報、機種の情報および色変換情報の３つよりなる。
このうち機種の情報は、上述したように機器の個別情報であり、機器の種類、メーカー名、型番、画面サイズ、印刷方式、印刷する用紙の種類などが含まれる。この場合、機種の情報は、複数の機種の情報が含まれる。
またＨｅａｄｅｒ情報は、機器に依存しない情報からなり、複数の機種に共通の情報である。例えば、上述した業種の情報や照明環境の情報が含まれる。
さらに色変換情報は、決定部１６０が決定した色温度、輝度およびインテントの情報が機器毎に含まれる。
【００４３】
＜変換関係の作成方法の説明＞
次に変換関係作成部１７０が、変換関係を作成する方法について説明する。
変換関係作成部１７０は、決定部１６０が決定した色温度におけるＸ、Ｙ、Ｚの各値（ここではＸｓ、Ｙｓ、Ｚｓと表記する）を設定する。具体的には、色温度によりＸｓ値、Ｚｓ値は、一義的に定まり色温度が６５００Ｋだったときは、例えば、（Ｘｓ、Ｚｓ）＝（９５、８５）となる。またＹｓ（輝度）については、決定部１６０が決定した輝度とする。ここでは、Ｙｓ＝１００（１００ｃｄ／ｍ２）だったとする。
【００４４】
次に変換関係作成部１７０は、特性情報取得部１４０が取得したデバイス特性情報から、線形回帰モデル、重回帰分析、ニューロモデル等の予測計算を使用し、Ｘｓ、Ｙｓ、Ｚｓの各値をＲ、Ｇ、Ｂの各値に変換する。つまりＸｓ、Ｙｓ、Ｚｓの各値をデバイス特性情報を用いて変換された後のＲ、Ｇ、Ｂの各値は、決定部１６０が決定した色温度で表示装置２０にて白色画像を表示したときに入力色信号となる。本実施の形態では、変換された後のＲ、Ｇ、ＢをそれぞれＲｓ、Ｇｓ、Ｂｓと表記することにする。
なおここでは、（Ｘｓ、Ｙｓ、Ｚｓ）＝（９５、１００、８５）をデバイス特性情報を用いて変換された後の値が、（Ｒｓ、Ｇｓ、Ｂｓ）＝（１７０、１５９、１４３）であったとする。
【００４５】
そして変換関係作成部１７０は、Ｒｓ、Ｇｓ、Ｂｓを基に、補正前のＲＧＢデータである（Ｒａ、Ｇａ、Ｂａ）の補正を行うための補正ＲＧＢＬＵＴを作成する。この補正ＲＧＢＬＵＴは、各Ｒａ、Ｇａ、Ｂａのそれぞれを補正ＲＧＢ値（Ｒｓ、Ｇｓ、Ｂｓ）を最大値として補正するための１次元ＬＵＴである。
【００４６】
図８は、（Ｒｓ、Ｇｓ、Ｂｓ）＝（１７０、１５９、１４３）であったときの補正ＲＧＢＬＵＴを示した図である。
図示する１次元ＬＵＴは、赤色（Ｒ）信号については、０−１７０を直線で結ぶものとしている。同様に緑色（Ｇ）信号については、０−１５９を直線で結ぶものとし、青色（Ｂ）信号については、０−１４３を直線で結ぶものとしている。なお直線で結ぶ場合に限られるものではなく、２次曲線、３次曲線等の曲線で結んでもよい。
そしてこのように設定された１次元ＬＵＴにより、最大値を２５５とする補正前のＲＧＢデータである（Ｒａ、Ｇａ、Ｂａ）は、（Ｒｓ、Ｇｓ、Ｂｓ）＝（１７０、１５９、１４３）を最大値とする補正後のＲＧＢデータである（Ｒｂ、Ｇｂ、Ｂｂ）に変換することができる。
【００４７】
図９は、変換関係を作成する際に、表示装置２０の表示画面２１に表示される画面を示した図である。
図中、ターゲットファイルは、図８で説明したファイルを意味し、上述した環境の情報が表示される。ここでは、機器の種類がディスプレイであり、さらにメーカー名、画面サイズが表示されている。また変換関係であるプロファイルのファイル名を出力プロファイル名から入力することができる。そしてこの状態から「次へ」を選択すると、変換関係（プロファイル）が作成される。
【００４８】
＜コンピュータ装置１０の動作の説明＞
図１０は、本実施の形態のコンピュータ装置１０の動作について説明したフローチャートである。
まず測色用画像選択部１１０が測色用画像を選択する（ステップ１０１：測色用画像選択工程）。
【００４９】
次に画像データ送信部１２０が、測色用画像選択部１１０が選択した測色用画像の画像データである測色用画像データを表示装置２０に向けて出力する（ステップ１０２：測色用画像データ出力工程）。測色用画像データは、ＲＧＢデータである。これにより表示装置２０では、表示画面２１に測色用画像が表示される。そしてこの画像は、測色器５０により色が読み取られ、色データとしてコンピュータ装置１０に送られる。
【００５０】
そして色データ取得部１３０が、測色器５０により送信された色データを取得する（ステップ１０３：色データ取得工程）。取得した色データはＸＹＺデータである。
【００５１】
次に特性情報取得部１４０が、測色用画像データと色データとの関係であるデバイス特性情報を作成する（ステップ１０４：特性情報取得工程）。よってデバイス特性情報は、ＲＧＢデータとＸＹＺデータとの組（（Ｒ、Ｇ、Ｂ）−（Ｘ、Ｙ、Ｚ））から構成される。
【００５２】
そして前提情報取得部１５０が、表示装置２０で画像として表示する成果物（対象物）を実際に使用する状態で見るときの環境の情報を前提情報として取得する。また前提情報取得部１５０は、環境の情報の他に成果物の種類の情報を前提情報として取得する。（ステップ１０５：環境情報取得工程）。前提情報は、図４で説明したような方法でユーザが入力することができる。
【００５３】
次に決定部１６０が、前提情報に含まれる成果物の種類の情報により、成果物が画面で表示されるもの（Ｗｅｂデザイン、サイネージなどの画像データ）であるか否かの判断を行なう（ステップ１０６：判断工程）。
【００５４】
その結果、成果物が画面で表示されるものである場合（ステップ１０６でＹｅｓ）、決定部１６０は、図５（ａ）〜（ｂ）に示したように、成果物の種類（Ｗｅｂデザイン、サイネージなど）の情報と、環境の情報として業種の情報および機種の情報とを使用して表示装置２０で表示される画像の色温度および輝度を決定する（ステップ１０７：決定工程）。つまり決定部１６０は、成果物に関する業種の情報および成果物の種類の情報から色温度を決定する。また決定部１６０は、機種の情報から輝度を決定する。またこの際に、決定部１６０は、色温度および輝度を決定するのに照明環境の情報を加えてもよい。さらに決定部１６０は、図６で示したような方法でインテントを決定してもよい。
【００５５】
対して成果物が画面で表示されるものでない場合（成果物が実物である場合）（ステップ１０６でＮｏ）、決定部１６０は、図５（ａ）に示したように、成果物の種類（印刷物など）の情報を使用して表示装置２０で表示される画像の色温度を決定する。また表示装置２０で表示される画像の輝度は、例えば、環境の情報である照明環境の情報および成果物の種類の情報から以下の計算式で算出する（ステップ１０８：決定工程）。
【００５６】
Ｌ＝ρ×Ｅ／π        （輝度：Ｌ、照度：Ｅ、物体の反射率：ρ）
【００５７】
物体の反射率ρについては、成果物の種類の情報と紐付けた情報をデータベースに保持、または測定の結果からデータベースを更新してもよい。
【００５８】
次に変換関係作成部１７０が、デバイス特性情報と、決定部１６０が決定した色温度および輝度とを基に、色調整を行なう変換関係（プロファイル）を作成する（ステップ１０９：変換関係作成工程）。また決定部１６０が、表現傾向（インテント）をさらに決定したときは、表現傾向（インテント）を加えて、変換関係を作成する。
【００５９】
色補正部１８０では、この変換関係（プロファイル）を使用して、表示装置２０に出力する画像データ（ＲＧＢデータ）の補正を行なう（ステップ１１０：画像データ補正工程）。
【００６０】
上述したように、従来はどのようにしてカラーマッチングを行なえばよいのかが難しく、種々の環境を想定したカラーマッチングは困難であった。例えば、印刷業界では、成果物（対象物）である印刷物の色味に表示装置２０で表示される画像の色味を近づけるのが一般的である。一方、Ｗｅｂ業界では、成果物であるＷｅｂデザインをユーザ自身の表示装置（別の表示装置）で見るときの色味に近づけるのが一般的である。よって業界や商習慣によりカラーマッチングの方法は異なる。さらに成果物を机上ディスプレイ、大型ディスプレイ、プロジェクタなど（別の表示装置）で表示する場合、好ましい輝度はそれぞれ異なる。
本実施の形態では、成果物を見るときの状態が、成果物の種類の情報および成果物を実際に見るときの環境の情報によりほぼ決まることを利用し、成果物を見るときの状態を予測する。そしてこれから表示装置２０で表示される画像の色温度と輝度を決定する。例えば、業種の情報および成果物の種類の情報から色温度を決定し、机上ディスプレイ、大型ディスプレイ、プロジェクタなど（別の表示装置）の機種の情報から輝度を決定する。その結果、成果物の種類や成果物を見るときの環境が異なっても、表示装置２０で表示される成果物の画像の色味を、実際の成果物の色味に合わせることができる。そして成果物の色をデザイナーがデザインするとき、成果物が実際にどのように見えるのかを把握することができる。
【００６１】
なお以上説明した色処理方法は、表示装置２０で画像として表示する成果物（対象物）を実際に使用される状態で見るときの環境の情報を取得する環境情報取得工程と、環境の情報と成果物（対象物）の種類の情報とを基に表示装置２０の色温度および輝度を決定する決定工程と、を備える色処理方法として捉えることもできる。
【００６２】
また上述した例では、実際の表示装置２０の表示画面２１に画像を表示し、この画像を測色器５０で測定することで色データを取得していたが、これに限られるものではない。
【００６３】
＜プログラムの説明＞
ここで以上説明を行った本実施の形態におけるコンピュータ装置１０が行なう処理は、例えば、アプリケーションソフトウェア等のプログラムとして用意される。
【００６４】
よって本実施の形態でコンピュータ装置１０が行なう処理は、コンピュータに、表示装置２０で画像として表示する成果物（対象物）を実際に使用される状態で見るときの環境の情報を取得する環境情報取得機能と、環境の情報と成果物（対象物）の種類の情報とを基に表示装置２０の色温度および輝度を決定する決定機能と、を実現させるためのプログラム、として捉えることができる。
【００６５】
なお、本実施の形態を実現するプログラムは、通信手段により提供することはもちろん、ＣＤ−ＲＯＭ等の記録媒体に格納して提供することも可能である。
【００６６】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【００６７】
１…色処理システム、１０…コンピュータ装置、２０…表示装置、２１…表示画面、５０…測色器、１１０…測色用画像選択部、１２０…画像データ送信部、１３０…色データ取得部、１４０…特性情報取得部、１５０…前提情報取得部、１６０…決定部、１７０…変換関係作成部、１８０…色補正部
【図１】
2019009503.tif 000003
【図２】
2019009503.tif 000004
【図３】
2019009503.tif 000005
【図４】
2019009503.tif 000006
【図５】
2019009503.tif 000007
【図６】
2019009503.tif 000008
【図７】
2019009503.tif 000009
【図８】
2019009503.tif 000010
【図９】
2019009503.tif 000011
【図１０】
2019009503.tif 000012